(57)【要約】【課題】分路リアクトルの設置を促進すること。【解決手段】三相交流送電における各相の電力を送電する電線にそれぞれ並列に接続される３つのコイルと、３つのコイルの周囲を真空状態に維持する真空円筒部材と、真空円筒部材を収容する外装部材１０１と、を備え、外装部材１０１の外径寸法を、内周側に空洞を備えた電柱８０１における当該空洞８０２の内径寸法よりも小さくした分路リアクトル１００を構成した。これにより、電柱８０１の内側の空洞８０２内に、分路リアクトル１００を設置することができる。【選択図】図８
2020174094.tif 000002
【特許請求の範囲】
【請求項１】
三相交流送電における各相の電力を送電する電線にそれぞれ並列に接続され真空管内に収容された３つの単相コイルと、
略円筒形状をなし、前記３つの単相コイルの周囲を真空状態に維持する真空円筒部材と、
略円筒形状をなし、前記真空円筒部材を収容する外装部材と、
を備え、
前記外装部材の外径寸法は、内周側に空洞を備えた柱状体における当該空洞の内径寸法よりも小さいことを特徴とする分路リアクトル。
【請求項２】
前記柱状体は、電柱として設置されるコンクリート柱であって、
前記外装部材の外径寸法は、設置された状態の前記柱状体における鉛直方向上端における前記空洞の内径寸法よりも小さいことを特徴とする請求項１に記載の分路リアクトル。
【請求項３】
前記外装部材に設けられて、当該外装部材の外周壁から外側へ突出する取付部材を備えたことを特徴とする請求項１または２に記載の分路リアクトル。
【請求項４】
前記外装部材の外側に設けられ、加えられた外力に応じて変形する弾性材料によって形成されたクッション材を備えたことを特徴とする請求項１〜３のいずれか一つに記載の分路リアクトル。
【発明の詳細な説明】
【技術分野】
【０００１】
この発明は、電力系統における無効電力を補償する分路リアクトルに関する。
【背景技術】
【０００２】
近年、太陽光発電設備を電力会社の電力系統に接続する系統連系が増加している。太陽光発電設備の系統連系の増加にともなって、配電線送りの有効電力量は減少傾向にある。配電線送りの有効電力量が減少すると、配電線抵抗ロスや無効電力の供給量が減少する。
【０００３】
このような配電線抵抗ロスや無効電力の供給量の減少にともない、太陽光発電設備が連系される６ｋＶなどの高圧配電線における送出電圧が高くなる。電力会社は、配電線（電力系統）における無効電力を監視し、電力需要設備における受電電圧を一定に保ち、供給電力の品質の安定化を図るため、一部の変電所における６ｋＶ母線に分路リアクトル（ＳｈＲ：Ｓｈｕｎｔ  Ｒｅａｃｔｏｒ）を接続するなどして電圧を管理している。
【０００４】
関連する技術として、具体的には、従来、たとえば、単相および三相トランスの機能を合わせ持つ変電設備を電柱の上方に取り付けることにより、無効電力を抑えて変電設備を設置する店舗などにおける電気料金を削減するとともに、変電設備の設置位置を変更することによって電柱の下方の空間を有効利用して店舗敷地内の利用効率を改善する高圧受電システムに関する技術があった（たとえば、下記特許文献１を参照。）。
【０００５】
また、関連する技術として、具体的には、従来、たとえば、分散型電源の連系電圧が所定値以上に上昇するときに、インピーダンス調整器に並列に接続された開閉器を遮断してインピーダンス調整器を接続して分散型電源を進相運転し、分散型電源の連系電圧が所定値以下のときに、開閉器を投入して接続して分散型電源の進相運転を停止する分散型電源系統連系の電圧制御システムに関する技術があった（たとえば、下記特許文献２を参照。）。
【先行技術文献】
【特許文献】
【０００６】
【特許文献１】特開２０１２−１２０４１８号公報
【特許文献２】特開２００４−１８０４０２号公報
【発明の概要】
【発明が解決しようとする課題】
【０００７】
しかしながら、上述した特許文献１および特許文献２に記載された従来の技術は、いずれも、増設する設備を電柱などの支持部材の外側に取り付けるため、増設した設備が風雨などにさらされることによる劣化に起因する故障による不具合を回避するための定期的なメンテナンスが必要となり煩わしく、作業者にかかる負担が大きいという問題があった。
【０００８】
また、上述した特許文献１に記載された従来の技術は、上部に新たな変圧設備を設置する電柱には充分な強度が要求されるため、既設の電柱に設置する場合は設置可能な電柱が制限されてしまい汎用性に劣るという問題があった。この対策として、既設の電柱の強度を向上させる対策を施し当該電柱の強度不足を解消する場合、大がかりで煩雑な作業が必要になるという問題があった。
【０００９】
また、上述した特許文献１に記載された従来の技術は、風雨に曝される電柱の外部に新たな変圧設備を取付けているため、防錆処理や巡視点検などの新たな変圧設備に対する定期的なメンテナンスが必要となり煩わしいという問題があった。
【００１０】
また、上述した特許文献２に記載された従来の技術は、無効電力調整器容量が引込線電流容量に応じたものに限られるとともに、設備の増強に際しては電力の需要家の承諾など、需要家側の協力が必要になるため、協力を得るための交渉にかかる時間や労力を要し、作業者にかかる負担が大きいという問題があった。加えて、上述した特許文献２に記載された従来の技術は、設備を増強できるかどうかが需要者側の協力の有無によって左右されるため、必ずしも適切な位置に設備を増強することができず、実用化が難しいという問題があった。
【００１１】
このように、従来の技術は、設置やメンテナンスにかかる作業者の負担が大きいために分路リアクトルの設置が抑制されてしまうという問題があった。そして、このために、電力系統における適正な無効電力量の維持が阻害され、品質が安定した電力を供給することが難しいという問題があった。
【００１２】
この発明は、上述した従来技術による問題点を解消するため、設置を促進することができる分路リアクトルを提供することを目的とする。
【課題を解決するための手段】
【００１３】
上述した課題を解決し、目的を達成するため、この発明にかかる分路リアクトルは、三相交流送電における各相の電力を送電する電線にそれぞれ並列に接続され真空管内に収容された３つの単相コイルと、略円筒形状をなし、前記３つの単相コイルの周囲を真空状態に維持する真空円筒部材と、略円筒形状をなし、前記真空円筒部材を収容する外装部材と、を備え、前記外装部材の外径寸法は、内周側に空洞を備えた柱状体における当該空洞の内径寸法よりも小さいことを特徴とする。
【００１４】
また、この発明にかかる分路リアクトルは、上記の発明において、前記柱状体が、電柱として設置されるコンクリート柱であって、前記外装部材の外径寸法が、設置された状態の前記柱状体における鉛直方向上端における前記空洞の内径寸法よりも小さいことを特徴とする。
【００１５】
また、この発明にかかる分路リアクトルは、上記の発明において、前記外装部材に設けられて、当該外装部材の外周壁から外側へ突出する取付部材を備えたことを特徴とする。
【００１６】
また、この発明にかかる分路リアクトルは、上記の発明において、前記外装部材の外側に設けられ、加えられた外力に応じて変形する弾性材料によって形成されたクッション材を備えたことを特徴とする。
【発明の効果】
【００１７】
この発明にかかる分路リアクトルによれば、分路リアクトルの設置を促進することができるという効果を奏する。
【００１８】
また、この発明にかかる分路リアクトルによれば、分路リアクトルの設置を促進することにより、供給電力の品質の安定化を図ることができるという効果を奏する。
【図面の簡単な説明】
【００１９】
【図１】この発明にかかる実施の形態の分路リアクトルの構成を示す説明図（その１）である。
【図２】この発明にかかる実施の形態の分路リアクトルの構成を示す説明図（その２）である。
【図３】この発明にかかる実施の形態の分路リアクトルの構成を示す説明図（その３）である。
【図４】この発明にかかる実施の形態の分路リアクトルの構成を示す説明図（その４）である。
【図５】この発明にかかる実施の形態の分路リアクトルの構成を示す説明図（その５）である。
【図６】この発明にかかる実施の形態の分路リアクトルの構成を示す説明図（その６）である。
【図７】この発明にかかる実施の形態の分路リアクトルの構成を示す説明図（その７）である。
【図８】この発明にかかる実施の形態の分路リアクトルの取り付け方法を示す説明図（その１）である。
【図９】この発明にかかる実施の形態の分路リアクトルの取り付け方法を示す説明図（その２）である。
【図１０】この発明にかかる実施の形態の分路リアクトルを設置した電柱の上端に取り付けるキャップの一例を示す説明図（その１）である。
【図１１】この発明にかかる実施の形態の分路リアクトルを設置した電柱の上端に取り付けるキャップの一例を示す説明図（その２）である。
【図１２】この発明にかかる実施の形態の分路リアクトルが設置された高圧配電線路を概略的に示す説明図である。
【発明を実施するための形態】
【００２０】
以下に添付図面を参照して、この発明にかかる分路リアクトルの好適な実施の形態を詳細に説明する。
【００２１】
まず、この発明にかかる実施の形態の分路リアクトルの構成について説明する。図１〜図７は、この発明にかかる実施の形態の分路リアクトルの構成を示す説明図である。
【００２２】
図１〜図７に示すように、この発明にかかる実施の形態の分路リアクトル１００は、外装部材１０１を備えている。外装部材１０１は、軸心方向における一端が開放され、軸心方向における他端が底部材によって閉止された有底の略円筒形状をなす。外装部材１０１は、絶縁性を呈する材料を用いて形成されている。
【００２３】
外装部材１０１の一端側であって、外装部材１０１の外周には、取付金具１０２が設けられている。取付金具１０２は、Ｌ字形状をなす。取付金具１０２の一辺１０２ａは、外装部材１０１の外周面に固定されている。取付金具１０２の別の一辺１０２ｂは、外装部材１０１の直径方向に突出している。取付金具１０２の別の一辺１０２ｂは、外装部材１０１の一端側の開口１０１ａ付近から、外装部材１０１の直径方向に突出している。この実施の形態においては、取付金具１０２によって、この発明にかかる取付部材を実現することができる。
【００２４】
外装部材１０１の他端側であって、外装部材１０１の外周には、クッション材１０３が設けられている。クッション材１０３を含めた外装部材１０１の外径寸法は、取り付け対象とする電柱の内径寸法と同等程度に設定されている。クッション材１０３は、外装部材１０１に加えられた外力を吸収する弾性を備えている。具体的に、クッション材１０３は、たとえば、ウレタンゴム、シリコンゴムなどによって形成することができる。クッション材１０３を設けることにより、分路リアクトル１００が電柱内で振動することを防止できる。
【００２５】
外装部材１０１の内側には、真空円筒部材２０１が設けられている。真空円筒部材２０１は、略円筒形状をなし、軸心方向における両端が閉止されている。真空円筒部材２０１において、軸心方向における一端には、リード線（ＣＶＴケーブル）３０１を引き出す貫通孔３０２が設けられている。貫通孔３０２とリード線３０１との間は、シーリング剤などによって密閉されている。真空円筒部材２０１の内側は、真空または真空に近づけた略真空とされている。
【００２６】
真空円筒部材２０１の内側には、内側真空円筒管５０１が設けられている。この実施の形態においては、真空円筒部材２０１の内側に、３つの内側真空円筒管５０１が設けられている。内側真空円筒管５０１は、それぞれ、密閉された円筒形状をなし、内側が真空状態とされている。この実施の形態においては、内側真空円筒管５０１によって、この発明にかかる真空管を実現することができる。
【００２７】
内側真空円筒管５０１の内側には、それぞれ、コイル（単相コイル）６０１が設けられている。真空円筒部材２０１の内側には、３つの内側真空円筒管５０１が設けられているため、この実施の形態の分路リアクトル１００は３つのコイル６０１を備えている。３つのコイル６０１は、それぞれ、内側真空円筒管５０１（真空円筒部材２０１）の軸心方向に平行な軸心周りに、針金状の金属材料を螺旋形状に巻回することによって構成されている。
【００２８】
リード線３０１は、各コイル６０１の一端に、それぞれ接続されている。各コイル６０１に接続されたリード線３０１は、真空円筒部材２０１の貫通孔３０２から、真空円筒部材２０１の外側へ引き出されている。また、各コイル６０１は、真空円筒部材２０１におけるリード線３０１の引き出し側とは反対側において結線されている。
【００２９】
３つの内側真空円筒管５０１は、軸心方向に沿って見た場合に正三角形をなすように束ねられた状態で、真空円筒部材２０１の内側に配置されている。束ねられた３つの内側真空円筒管５０１の外周面と、真空円筒部材２０１の内周面とは、接着剤などの固定部材５０２を用いて固定されている。これにより、内側真空円筒管５０１が真空円筒部材２０１の内側でがたつくことを防止し、コイル６０１の損傷や結線部の断線などを防止することができる。
【００３０】
（分路リアクトル１００の取り付け方法）
つぎに、この発明にかかる実施の形態の分路リアクトル１００の取り付け方法について説明する。図８および図９は、この発明にかかる実施の形態の分路リアクトル１００の取り付け方法を示す説明図である。図８に示すように、分路リアクトル１００は、電柱８０１の内側（内周側）の空洞８０２内に設置する。図８においては、電柱８０１を仮想線で示している。
【００３１】
分路リアクトル１００の設置に際しては、まず、電柱８０１の上端に取り付けられているキャップを取り外して、電柱８０１の上端を開放する。つぎに、電柱８０１の上端において開口する空洞８０２に、分路リアクトル１００を挿入する。クッション材１０３が弾性を呈するため、分路リアクトル１００を挿入する際は、電柱８０１の上端の開口径に応じてクッション材１０３を弾性変形させることができる。
【００３２】
また、分路リアクトル１００を挿入する際は、取付金具１０２のうちの別の一辺１０２ｂが、電柱８０１の上端面に突き当たるまで分路リアクトル１００を挿入する。これにより、分路リアクトル１００の挿入量を管理することなく、取付金具１０２が電柱８０１の上端面に突き当たるまで分路リアクトル１００を挿入するだけで、電柱８０１の内側の空洞８０２における適切な位置に分路リアクトル１００を容易に設置することができる。
【００３３】
電柱８０１に高圧機器を施設する場合、当該高圧機器の外箱（外装）は金属製であることが多い。そして、電柱８０１に金属製の外箱を備えた高圧機器を施設する場合は、当該外箱に接地工事を施す必要がある。これに対し、この実施の形態の分路リアクトル１００においては、絶縁性を呈する材料を用いて外装部材１０１を形成することにより、接地工事を不要とすることができる。
【００３４】
これにより、分路リアクトル１００の設置にかかる作業者の負担軽減を図ることができる。なお、分路リアクトル１００の接地工事をおこなってもよい。具体的には、たとえば、外装部材１０１が、金属製の材料によって形成された有底の略円筒形状の表面に、絶縁性を呈する材料を塗布するなどして絶縁皮膜を設けることによって構成されている場合などにおいては、接地工事を施してもよい。これにより、空洞８０２に分路リアクトル１００を挿入する際などに、万一、外装部材１０１と空洞８０２の内壁面とが擦れて絶縁皮膜が損傷した場合にも、分路リアクトル１００を設置することに起因する地絡事故の発生を防止することができる。
【００３５】
つぎに、電柱８０１の上端にキャップ９０１を取り付けて、電柱８０１の上端の開口を閉塞する。このとき、引き出し孔が設けられたキャップ９０１を、柱の上端に取り付ける。引き出し孔は、キャップ９０１を貫通している。キャップ９０１については、説明を後述する。
【００３６】
なお、分路リアクトル１００の設置に際して用いるキャップ９０１は、あらかじめ引き出し孔が設けられているものに限らず、分路リアクトル１００の設置現場において、キャップ９０１に引き出し孔を設ける加工をおこなってもよい。
【００３７】
そして、キャップ９０１の取り付けと同時に、引き出し孔を介して、分路リアクトル１００のリード線３０１をキャップ９０１の外側に引き出す。その後、引き出した分路リアクトル１００のリード線３０１を、低圧電線９０２よりも高所に架線されている高圧電線９０３に接続する。これにより、分路リアクトル１００の設置が完了する。なお、分路リアクトル１００の設置対象とする電柱８０１が、架空地線９０４を支持する電柱８０１である場合、高圧電線９０３は、低圧電線９０２より高所であって、架空地線９０４の下方に架線される。
【００３８】
（キャップ９０１の一例）
図１０および図１１は、この発明にかかる実施の形態の分路リアクトル１００を設置した電柱８０１の上端に取り付けるキャップ９０１の一例を示す説明図である。分路リアクトル１００の取り付け対象とする電柱８０１が、架空地線９０４を支持する電柱８０１である場合、分路リアクトル１００を設置した電柱８０１の上端に取り付けるキャップ９０１は、図１０に示すように、電柱８０１の上端に被せられる被冠部１０１０と、架空地線９０４を支持する支持部１０２０と、を備えて構成される。
【００３９】
被冠部１０１０は、内径寸法が電柱８０１の上端における外径寸法と同等に設定された円筒形状をなす。支持部１０２０は、被冠部１０１０における開口（図１０における紙面下側）とは反対側に設けられて、被冠部１０１０から離反する方向に突出している。支持部１０２０は、被冠部１０１０とは反対側の端部（先端部）１０２１において、架空地線９０４を支持する。
【００４０】
このようなキャップ９０１においては、たとえば、支持部１０２０に引き出し孔１００１を設けることができる。引き出し孔１００１は、支持部１０２０の外周壁を貫通している。架空地線９０４を支持する電柱８０１の上端に取り付けるキャップ９０１は、大型であり、重量が大きいため、引き出し孔１００１の加工は現場ではおこなわずにあらかじめおこなうことが好ましい。
【００４１】
架空地線９０４を支持する電柱８０１の上端に取り付けるキャップ９０１に引き出し孔１００１の加工をおこなった場合、リード線３０１を通さない状態においては、引き出し孔１００１を塞ぐゴム製のキャップ９０１を取り付ける。これにより、雨水などが引き出し孔１００１を介して電柱８０１内に侵入することを防止し、雨水による電柱８０１の内側からの劣化を防止することができる。
【００４２】
また、分路リアクトル１００の取り付け対象とする電柱８０１が、架空地線９０４を支持しない電柱８０１である場合、分路リアクトル１００を設置した電柱８０１の上端には、キャップ９０１に代えて、たとえば、図１１に示すキャップ１１００を取り付けてもよい。具体的に、キャップ１１００は、円筒形状をなし、軸心方向における一端が閉止された容器形状をなす。キャップ１１００の内径寸法は、電柱８０１の上端における外径寸法と同等に設定されている。
【００４３】
キャップ１１００において、軸心方向における一端側は、たとえば、円錐形状とすることができる。このようなキャップ１１００において、引き出し孔１００１は、たとえば、円錐形状の頂点部に設けることができる。引き出し孔１００１は、キャップ１１００の頂点部における壁面を貫通して、キャップ９０１の内側と外側とを連通する。引き出し孔１００１は、円錐形状の斜面に設けてもよい。
【００４４】
あるいは、キャップにおいて、軸心方向における一端側は、たとえば、平坦な板形状であってもよい。このようなキャップにおいて、引き出し孔は、たとえば、キャップの天面（電柱８０１の開口に対向する位置）に設けることができる。
【００４５】
このように、この実施の形態の分路リアクトル１００は、架空地線９０４を支持する電柱８０１であるか否かにかかわらず、内側に空洞８０２を有するすべての電柱８０１に設置することができる。これにより、汎用性を格段に向上させることができ、電力会社の区別によらず、全国に展開することができる。
【００４６】
（分路リアクトル１００が設置された電力系統の概略構成）
つぎに、この発明にかかる実施の形態の分路リアクトル１００が設置された電力系統の概略構成について説明する。図１２は、この発明にかかる実施の形態の分路リアクトル１００が設置された高圧配電線路を概略的に示す説明図である。図１２に示すように、分路リアクトル１００は、高圧配電線路１２００に接続する。図１２においては、分路リアクトル１００を模式的に示している。
【００４７】
この実施の形態の分路リアクトル１００は、電柱８０１の内側の空洞８０２内に設置するため、現状設備に影響をおよぼすことなく、また、従来と比較して簡易な工事によって容易に設置することができる。これにより、分路リアクトル１００の設置を促進することができる。
【００４８】
また、この実施の形態の分路リアクトル１００は、高圧配電線路１２００における電柱８０１のすべてに接続するものではなく、高圧配電線路１２００における電圧を下げるためにもっとも効果的な箇所を任意に選定して設置する。これにより、高圧配電線路１２００における無効電力量を効果的に吸収・相殺することができる。
【００４９】
このように、この実施の形態の分路リアクトル１００は、高圧配電線路１２００における電圧を下げるためにもっとも効果的な箇所に容易に設置することができるため、分路リアクトル１００の設置を促進することにより、供給電力の品質の安定化を図ることができる。
【００５０】
また、この実施の形態の分路リアクトル１００は、分路リアクトル１００を電柱８０１の内側の空洞８０２（内部空洞）に設置することにより、分路リアクトル１００の小型軽量化を図ることができ、電柱８０１の強度に左右されることなく取り付けることができる。
【００５１】
また、この実施の形態の分路リアクトル１００は、真空円筒部材２０１および内側真空円筒管５０１によって二重に覆われたコイル６０１を電柱８０１の内側の空洞８０２に設置することができるので、風雨に曝されることによる劣化がなく、メンテナンスにかかる負担軽減を図ることができる。
【００５２】
また、この実施の形態の分路リアクトル１００は、電柱８０１の内側の空洞８０２を利用することにより、周囲環境の影響を受けることなくコイル６０１を設置することができ、汎用性を確保することができる。
【００５３】
以上説明したように、この発明にかかる実施の形態の分路リアクトル１００は、三相交流送電における各相の電力を送電する電線にそれぞれ並列に接続される３つのコイル６０１と、略円筒形状をなし、３つのコイル６０１の周囲を真空状態に維持する真空円筒部材２０１と、略円筒形状をなし、真空円筒部材２０１を収容する外装部材１０１と、を備え、外装部材１０１の外径寸法は、内周側に空洞８０２を備えた柱状体における当該空洞８０２の内径寸法よりも小さいことを特徴としている。
【００５４】
この発明にかかる実施の形態の分路リアクトル１００によれば、内周側に空洞８０２を備えた柱状体である電柱８０１における当該空洞８０２内に、当該分路リアクトル１００を設置することができる。そして、柱状体における空洞８０２内に分路リアクトル１００を設置することにより、電柱８０１の周囲における設備を追加可能な空間の有無などの周囲環境の影響を受けることなく、分路リアクトル１００を設置することができる。これにより、電力系統における適切な位置に分路リアクトル１００を設置することができる。
【００５５】
また、電力会社が管理する電柱８０１などの柱状体の内周側の空洞８０２内に分路リアクトル１００を設置することにより、柱状体の外側に設置する場合と比較して、短時間で分路リアクトル１００を設置することができる。これにより、需要家の承諾を得やすくなり、電力系統における適切な位置に分路リアクトル１００を設置することができる。
【００５６】
このように、この発明にかかる実施の形態の分路リアクトル１００によれば、電力系統における適切な位置に分路リアクトル１００を設置することができ、かつ、分路リアクトル１００の設置や維持管理にかかる作業者の負担軽減を図ることができる。これにより、分路リアクトル１００の設置を促進し、電力系統における無効電力量を適正に維持して、供給電力の品質の安定化を図ることができる。
【００５７】
また、この発明にかかる実施の形態の分路リアクトル１００によれば、電柱８０１における空洞８０２内に設置することができるので、風雨に曝露されることに起因する分路リアクトル１００の劣化を抑制することができる。これにより、長期にわたって、分路リアクトル１００を有効に機能させることができ、供給電力の品質の安定化を図ることができる。
【００５８】
また、この発明にかかる実施の形態の分路リアクトル１００によれば、風雨に曝露されることに起因する分路リアクトル１００の劣化を抑制することができるので、分路リアクトル１００の整備や保守などのメンテナンスの頻度を低く抑えることができる。これにより、分路リアクトル１００の管理にかかる作業者の負担軽減を図ることができる。
【００５９】
また、この発明にかかる実施の形態の分路リアクトル１００は、柱状体が、電柱８０１として設置されるコンクリート柱であって、外装部材１０１の外径寸法が、設置された状態の柱状体における鉛直方向上端における空洞８０２の内径寸法よりも小さいことを特徴としている。
【００６０】
この発明にかかる実施の形態の分路リアクトル１００によれば、外装部材１０１の外径寸法が、鉛直方向上側ほど細くなる電柱８０１として設置される柱状体の空洞８０２におけるもっとも小さい内径寸法よりも小さいため、設置された状態の柱状体の上側から、分路リアクトル１００を挿入することによって設置することができる。
【００６１】
これにより、分路リアクトル１００の設置にかかる作業負担の軽減および作業時間の短縮を図ることができる。そして、これによって、分路リアクトル１００の設置を促進し、供給電力の品質の安定化を図ることができる。
【００６２】
また、この発明にかかる実施の形態の分路リアクトル１００は、外装部材１０１に設けられて、当該外装部材１０１の外周壁から外側へ突出する取付金具１０２を備えたことを特徴としている。
【００６３】
この発明にかかる実施の形態の分路リアクトル１００によれば、設置に際して、分路リアクトル１００を電柱８０１の内側の空洞８０２内に挿入すると、取付部材が電柱８０１の上端における開口の周縁に引っかかるため、容易かつ確実に、空洞８０２内における最適な位置に分路リアクトル１００を設置することができる。これにより、分路リアクトル１００の設置にかかる作業負担の軽減を図ることができる。
【００６４】
また、空洞８０２内に設置した後は、分路リアクトル１００の重量が取付部材にかかり、取付部材が電柱８０１の上端に押し付けられて固定されるため、取付部材によって、空洞８０２内における分路リアクトル１００の位置を安定させ、振動による電柱８０１との衝突による分路リアクトル１００の破損を防止するとともに、分路リアクトル１００の落下を規制することができる。これにより、簡易な構成によって、長期にわたって、分路リアクトル１００を有効に機能させることができ、供給電力の品質の安定化を図ることができる。
【００６５】
また、この発明にかかる実施の形態の分路リアクトル１００は、外装部材１０１の外側に設けられ、加えられた外力に応じて変形する弾性材料によって形成されたクッション材１０３を備えたことを特徴としている。
【００６６】
この発明にかかる実施の形態の分路リアクトル１００によれば、振動による電柱８０１との衝突による分路リアクトル１００の破損を確実に防止することができる。これにより、長期にわたって、分路リアクトル１００を有効に機能させることができ、供給電力の品質の安定化を図ることができる。
【産業上の利用可能性】
【００６７】
以上のように、この発明にかかる分路リアクトルは、電力系統における無効電力を補償する分路リアクトルに有用であり、特に、高圧配電線路における電圧を下げる分路リアクトルに適している。
【符号の説明】
【００６８】
１００  分路リアクトル
１０１  外装部材
１０２  取付金具
１０３  クッション材
２０１  真空円筒部材
３０１  リード線
５０１  内側真空円筒管
６０１  コイル
８０１  電柱
８０２  空洞
９０１  キャップ
９０２  低圧電線
９０３  高圧電線
９０４  架空地線
【図１】
2020174094.tif 000003
【図２】
2020174094.tif 000004
【図３】
2020174094.tif 000005
【図４】
2020174094.tif 000006
【図５】
2020174094.tif 000007
【図６】
2020174094.tif 000008
【図７】
2020174094.tif 000009
【図８】
2020174094.tif 000010
【図９】
2020174094.tif 000011
【図１０】
2020174094.tif 000012
【図１１】
2020174094.tif 000013
【図１２】
2020174094.tif 000014